(57)【要約】      （修正有）【課題】木製杭による根鉢保持力を強固なものとし、支持施工作業を容易にしまた支持施工コストを低減することのできる樹木の支持施工方法及び支持施工用具を提供する。【解決手段】樹木の根鉢の側面に沿って杭１を地面に打ち込み、前記根鉢の肩部側から前記杭１の軸中心部より外側に偏芯した位置に跨がって張力伝達部材５を斜め下向きに設置し、前記根鉢の上面に掛け回しベルト７を掛け回し、該掛け回しベルト７に生じる張力が、前記根鉢の肩部側に設置された張力伝達部材５の根元部側から、前記杭１の軸中心部より外側に偏芯した位置に設置された張力伝達部材５の先端部側へ伝達されるように、前記掛け回しベルト５を前記張力伝達部材５に取り付けて施工する。【選択図】図１９
2008109912.tif 000002
【特許請求の範囲】
【請求項１】
樹木（１６）の根鉢（１７）の側面に沿って杭（１）を地面に打ち込み、前記根鉢の肩部側から前記杭（１）の軸中心部より外側に偏芯した位置に跨がって張力伝達部材（５）を斜め下向きに設置し、前記根鉢の上面に掛け回しベルト（７）を掛け回し、該掛け回しベルト（７）に生じる張力が、前記根鉢の肩部側に設置された張力伝達部材（５）の根元部側から、前記杭（１）の軸中心部より外側に偏芯した位置に設置された張力伝達部材（５）の先端部側へ伝達されるように、前記掛け回しベルト（７）を前記張力伝達部材（５）に取り付けて樹木を支持施工することを特徴とする樹木の支持施工方法。
【請求項２】
根鉢の肩部に肩パット（４）を設置し、該肩パット（４）に張力伝達部材（５）の根元部を取り付ける請求項１記載の樹木の支持施工方法。
【請求項３】
杭（１）を保持しうる保持部（２ａ）と、該保持部（２ａ）から前記杭（１）の軸中心部より外側に偏芯した位置に突設された偏芯アタッチメント（９）とを有する杭保持体（２）を、前記保持部（２ａ）で保持させるように杭（１）に取り付け、前記偏芯アタッチメント（９）に、張力伝達部材（５）の先端部を取り付ける請求項１又は２記載の樹木の支持施工方法。
【請求項４】
掛け回しベルト（７）の端部を取り付けるための取付金具（１４）と、掛け回しベルト（７）の端部を取り付けて該掛け回しベルト（７）を締め付けるウインチ（８）
とを、張力伝達部材（５）の根元部側に取り付け、前記ウインチ（８）の締め付けにより前記掛け回しベルト（７）に張力を生じさせる請求項１乃至３のいずれかに記載の樹木の支持施工方法。
【請求項５】
樹木（１６）の根鉢（１７）の側面に沿って地面に打ち込むための杭（１）と、前記根鉢の上面に掛け回される掛け回しベルト（７）と、該掛け回しベルト（７）に張力を生じさせる手段と、該掛け回しベルト（７）に生じる張力を、前記根鉢の肩部側から前記杭（１）の軸中心部より外側に偏芯した位置に伝達するように、該根鉢の肩部側から杭（１）の軸中心部より外側に偏芯した位置に跨がって設置される張力伝達部材（５）とを具備して構成されていることを特徴とする樹木の支持施工用具。
【請求項６】
張力伝達部材（５）の根元部を取り付けて根鉢（１７）の肩部に設置される肩パット（４）をさらに具備する請求項５記載の樹木の支持施工用具。
【請求項７】
杭（１）を保持しうる保持部（２ａ）と、該保持部（２ａ）から前記杭（１）の軸中心部より外側に偏芯した位置に突設されて張力伝達部材（５）の先端部を取付可能とした偏芯アタッチメント（９）とを有する杭保持体（２）を、さらに具備する請求項５又は６記載の樹木の支持施工用具。
【請求項８】
根鉢（１７）に対して横圧抵抗力を作用させる横圧抵抗部材（３）が、杭保持体（２）の内側に設けられている請求項７記載の樹木の支持施工用具。
【請求項９】
肩パット（４）と、杭保持体（２）と、該肩パット（４）から杭保持体（２）の偏芯アタッチメント（９）に架設された張力伝達部材（５）と、横圧抵抗部材（３）とが一体化されて根鉢固定体が構成されている請求項８記載の樹木の支持施工用具。
【請求項１０】
杭（１）の引き上げに対する抵抗力を生じさせる引き上げ抵抗部材（６）がさらに具備されている請求項５乃至９のいずれかに記載の樹木の支持施工用具。
【請求項１１】
張力伝達部材（５）の根元部側に、掛け回しベルト（７）を掛止することのできる
掛止部（５ａ）が形成されている請求項５乃至１０のいずれかに記載の樹木の支持施工用具。
【請求項１２】
張力伝達部材（５）の根元部側に、掛け回しベルト（７）の端部を取り付けるための取付金具（１４）と、掛け回しベルト（７）の端部を取り付けて該掛け回しベルト（７）に張力を生じさせるウインチ（８）とが取り付けられている請求項５乃至１０のいずれかに記載の樹木の支持施工用具。
【発明の詳細な説明】
【技術分野】
【０００１】
本発明は、樹木の支持施工方法と、支持施工用具、さらに詳しくは、公園、歩道、博覧会場、駐車場、プラザ、広場、公開空地等の都市部における種々の場所で、人為的に植設される樹木を支持しながら施工するための樹木の支持施工方法と、支持施工用具に関する。
【背景技術】
【０００２】
近年、都市緑化等の要請が高まり、それに応じて都市部における種々の場所、たとえば、公園、歩道、博覧会場、駐車場、プラザ、広場、公開空地等の場所で、人為的に植設される樹木を支持しながら施工するための施工方法が実施されている。そして、このような支持施工方法においては、樹木の根鉢を地下部分で固定する必要があり、そのような支持施工方法や支持施工用具として従来から種々の方法や用具が採用されている。
【０００３】
たとえば、根鉢の周囲にワイヤー等の紐状体を掛け回し、その紐状体をアンカー等の打込部材に係止し、その打込部材を地中に打ち込んで根鉢を固定する方法や、そのアンカーに代えて根鉢を載置材に載置し、その載置材に紐状体を掛け回して根鉢を固定する方法、或いは根鉢の側面に沿って杭状の部材を打ち込む方法等が用いられているが、これらの方法に用いられる支持施工用具の多くは金属製のものである。
【０００４】
ところが、これらの支持施工用具は、根鉢を固定する目的で根鉢の周囲に設置されることから、一般には土中に埋設してそのまま放置される。しかし、金属製のこれらの支持施工用具が土中に埋設した状態でそのまま放置されることは、自然環境破壊の観点からは、本来好ましいものでない。
【０００５】
そこで、このような点に鑑みて、たとえば木製の杭を根鉢の側面に沿って打ち込むような方法も行われており、このような方法として、たとえば下記特許文献１のような特許出願がなされている。ところが、この特許文献１に記載された方法で用いる木製の杭は、引き抜き抵抗力が弱く、真上に引き抜くと簡単に引き抜くことができるものであり、このため、樹木に傾倒力が生じたような場合に、根鉢を確実に保持することができないという問題点があった。
【０００６】
さらに、このような木製の杭の引き抜き強度を高める観点から、下記特許文献２のような特許出願もなされている。すなわち、この特許文献２に記載された方法は、根鉢の周面に沿って木製の支持杭を打ち込むとともに、その支持杭に木製の根枷部材を横向きに取り付けて施工される方法である。
【０００７】
しかしながら、この特許文献２に記載された方法では、２つのリングを有する根枷取付具のうちの１つのリングに杭を差し込み、他のリングに根枷部材を差し込むことによって根枷部材が２本の杭に跨がるように取り付けられるため、このようなリングに杭と根枷部材とを差し込んで施工する作業自体が煩雑であるという問題があった。また、このような根枷部材を用いても、杭の引き抜き抵抗力を本質的に強くすることはできなかった。
【０００８】
さらに、樹木の立設状態を見た上で根鉢を固定するには、根鉢の下部と植穴の底壁面との間に予備客土を入れることが必要となるが、上記特許文献２のような方法で予備客土を入れると、根枷部材をリングに差し込んで固定する作業を行う際に予備客土が支障となり、せっかく収容した予備客土を植穴から排除して根枷部材の取付作業を行うか、或いは予備客土の上で根枷部材等をほとんど地中に埋めない状態で取り付けなければならない事態も生じることとなる。また、杭の他に、その杭を切断して得られた木製の根枷部材を地中に埋設するので、その切断された根枷部材が腐食する際に土中の酸素や窒素を奪取し、その結果、樹木の生育に悪影響を及ぼすおそれがあった。
【０００９】
いずれにしても、上記従来の特許文献１及び２のように木製の杭を用いる方法においては、木製の杭自体が金属製のものに比べると引き抜き抵抗が弱く、その結果、樹木に傾倒力が生じたときに、杭が不用意に抜けるおそれがあり、根鉢を固定して樹木を支持するという本来の機能が喪失されるおそれがあった。
【００１０】
【特許文献１】特開平７−２７４７４５号公報
【特許文献２】特開２００４−７３０７５号公報
【発明の開示】
【発明が解決しようとする課題】
【００１１】
本発明は、このような問題点を解決するためになされたもので、自然環境破壊の観点から、主として木製の杭を使用するにもかかわらず、杭に対する引き抜き抵抗力と根鉢に対する横圧抵抗力との双方を作用させることで、根鉢に対する保持力を強固なものとし、また支持施工のための作業を従来に比べて非常に容易にし、且つ支持施工に使用する部材のコストも低減することのできる樹木の支持施工方法と支持施工用具を提供することを課題とするものである。
【課題を解決するための手段】
【００１２】
本発明は、このような課題を解決するために、樹木の支持施工方法と、その支持施
工方法に用いる支持施工用具としてなされたもので、樹木の支持施工方法としての特徴は、樹木１６の根鉢１７の側面に沿って杭１を地面に打ち込み、前記根鉢の肩部側から前記杭１の軸中心部より外側に偏芯した位置に跨がって張力伝達部材５を斜め下向きに設置し、前記根鉢の上面に掛け回しベルト７を掛け回し、該掛け回しベルト７に生じる張力が、前記根鉢の肩部側に設置された張力伝達部材５の根元部側から、前記杭１の軸中心部より外側に偏芯した位置に設置された張力伝達部材５の先端部側へ伝達されるように、前記掛け回しベルト７を前記張力伝達部材５に取り付けて樹木を支持施工することである。
【００１３】
さらに支持施工用具としての特徴は、樹木１６の根鉢１７の側面に沿って地面に打ち込むための杭１と、前記根鉢の肩部側から前記杭１の軸中心部より外側に偏芯した位置に跨がるように設置される張力伝達部材５と、前記根鉢の上面に掛け回されるとともに、前記張力伝達部材５の張力が伝達されるように、前記張力伝達部材５に取り付けられる掛け回しベルト７と、該掛け回しベルト７に張力を生じさせる手段とを具備して構成されていることである。
【００１４】
根鉢の肩部に肩パット４を設置し、該肩パット４に張力伝達部材５の根元部を取り付けることも可能である。また杭１を保持しうる保持部２ａと、該保持部２ａから前記杭１の軸中心部より外側に偏芯した位置に突設された偏芯アタッチメント９とを有する杭保持体２を、前記保持部２ａで保持させるように杭１に取り付け、前記偏芯アタッチメント９に、張力伝達部材５の先端部を取り付けることも可能である。さらに、根鉢１７に対して横圧抵抗力を作用させる横圧抵抗部材３を、杭保持体２の内側に設けることも可能である。さらに肩パット４と、杭保持体２と、該肩パット４から杭保持体２の偏芯アタッチメント９に架設された張力伝達部材５と、横圧抵抗部材３とを一体化させて根鉢固定体を構成することも可能である。さらに、杭１の引き上げに対する抵抗力を生じさせる引き上げ抵抗部材６をさらに具備させることも可能である。
【００１５】
さらに、掛け回しベルト７の端部を取り付けるための取付金具１４と、掛け回しベルト７の端部を取り付けて該掛け回しベルト７を締め付けるウインチ８とを、張力伝達部材５の根元部側に取り付け、ウインチ８の締め付けにより掛け回しベルト７に張力を生じさせることも可能である。さらに、張力伝達部材５の根元部側に、掛け回しベルト７を掛止することのできる掛止部５ａを形成することも可能であり、また張力伝達部材５の根元部側に、掛け回しベルト７の端部を取り付けるための取付金具１４と、掛け回しベルト７の端部を取り付けて該掛け回しベルト７に張力を生じさせるウインチ８とを取り付けることも可能である。
【発明の効果】
【００１６】
本発明においては、上述のように、樹木の根鉢の側面に沿って杭を地面に打ち込み、前記根鉢の肩部側から前記杭の軸中心部より外側に偏芯した位置に跨がって張力伝達部材を斜め下向きに設置し、前記根鉢の上面に掛け回しベルトを掛け回し、該掛け回しベルトに生じる張力が、前記根鉢の肩部側に設置された張力伝達部材の根元部側から、前記杭の軸中心部より外側に偏芯した位置に設置された張力伝達部材の先端部側に伝達されるように、前記掛け回しベルトを前記張力伝達部材に取り付けて施工するため、樹木の傾倒力等によって掛け回しベルトに生じる張力が、根鉢の肩部側に設置された張力伝達部材の根元部側から先端部側に伝達され、その張力伝達部材の先端部側が、杭の軸中心部より外側に偏芯した位置に存在するため、その張力伝達部材の先端部側に伝達された張力は、打ち込まれた杭の引抜きに対する抵抗力として上下方向に作用するのみならず、その杭を根鉢に対して横向きに押圧する横圧抵抗力としても作用することとなり、掛け回しベルトに生じた張力がこのような両方向に作用する力に変換されることになる。
【００１７】
従って、このような杭の引抜きに対する引抜抵抗力と、根鉢に対して横向きに押圧する横圧抵抗力とによって、掛け回しベルトと張力伝達部材と杭とによって根鉢の上面、肩部、側面にかけて一体的に保持された状態となり、強力且つ一体的な抵抗力を生じさせることとなり、それによって傾倒力が生じた場合の樹木の初期移動が少なくなるよう抑制することができるという効果がある。
【００１８】
さらに、杭の他に、掛け回しベルトや張力伝達部材等を備えただけの簡易な構成の支持施工用具を用いて施工することができるため、施工の作業も容易に行えるとともに、安価な支持施工用具を提供することができるという効果がある。
【００１９】
また、従来の方法のように、根枷部材をリングに差し込んで固定するような煩雑な作業を要しないので、樹木の立設状態を見た上で根鉢を固定する際に、植穴内に予備客土を入れても、施工作業に支障を生じることもない。また、従来の方法のように、杭を切断して得られた根枷部材を地中に埋設するようなこともないので、樹木の生育に悪影響を及ぼすおそれもない。
【発明を実施するための最良の形態】
【００２０】
以下、本発明の実施形態について図面に従って説明する。
本実施形態の支持施工用具は、図１乃至図１２に示すように、根鉢の側面に沿って地面に打ち込むための木製の杭１と、該杭１を外嵌入して保持する杭保持体２と、該杭保持体２の内側に固着されて根鉢の側面に当接させる横圧抵抗部材３と、根鉢の肩部に当接させる肩パット４と、根鉢の上面に掛け回す掛け回しベルト７と、該掛け回しベルト７に生じる張力を前記肩パット４側から杭保持体２側へ伝達する張力伝達部材５と、杭１の引き上げに対する抵抗力を生じさせる引き上げ抵抗部材６と、前記掛け回しベルト７を締め付けるためのウインチ８とを具備して構成されている。
【００２１】
これらの各部材のうち、杭保持体２と、横圧抵抗部材３と、肩パット４と、張力伝達部材５との４つの部材は一体化されて根鉢固定体２０ａ、２０ｂを構成している。本実施形態においては、計４個の根鉢固定体２０ａ、２０ａ、２０ｂ、２０ｂが根鉢１７の周囲に設置されるが、構造の異なる２種類の根鉢固定体２０ａ、２０ｂが、それぞれ２個ずつ用いられる。この点については後述する。
【００２２】
杭１は、図１に示すように、一般の丸太杭の形態に形成されたもので、その下端１ａが地面に打ち込み可能に、尖って形成されている。杭保持体２は、図２乃至図６に示すように、前記杭１が外嵌入可能で且つ離脱しにくいように、該杭１の外形とほぼ同径の内径を有する略円筒状に形成された保持部２ａと、該保持部２ａから、前記杭１の軸中心部より外側に偏芯した位置へ外向きに突設された偏芯アタッチメント９とを具備して構成されている。杭保持体２の保持部２ａには、図２の２点鎖線で示すように、ボルト２７、２７が２箇所から挿通されており、その２箇所から挿通されたボルト２７、２７によって、杭保持体２の保持部２ａ内に嵌入される杭１が固定されることとなる。
【００２３】
横圧抵抗部材３は、図２に示すように、細い金属製の枠フレーム３ａと、該枠フレーム３ａの縦方向に配設された細い金属製の複数本の縦フレーム３ｂとで構成されている。そして、前記杭保持体２の斜め後部側から、前記横圧抵抗部材３の枠フレーム３ａの両側に向かって架設杆２ｂ、２ｂが架け渡されて固着されている。そして、前記横圧抵抗部材３は、前記杭保持体２の保持部２ａの内面側に固着されている。
【００２４】
張力伝達部材５の形状は、上述の２種類の根鉢固定体２０ａ、２０ｂによって少し異なっている。掛け回しベルト７を掛け回す一方の根鉢固定体２０ａにおいては、図２乃至図４に示すように張力伝達部材５の上部に略ホームベース形（五角形）の環状の掛止部５ａが形成され、該掛止部５ａの根元部５ｃ及び根元部５ｃの近辺が前記肩パット４にボルト２１によって固着されているとともに、根元部５ｃ及びその近辺以外の掛止部５ａの部分は、図３に示すように肩パット４から離間して形成されている。この肩パット４から離間した掛止部５ａの部分に、後述する掛け回しベルト７が掛け回されることとなる。尚、肩パット４には、２条のリブ４ａ、４ａが形成されている。
張力伝達部材５の下部には、図２に示すように略円形のリング体５ｂが形成され、このリング体５ｂが前記杭保持体２への取り付け部分となる。より具体的には、杭保持体２の保持部２ａから外向きに突設された偏芯アタッチメント９に挿通孔９ａが穿設され、該挿通孔９ａに前記張力伝達部材５のリング体５ｂを挿通させることによって、該張力伝達部材５が杭保持体２に取り付けられている。
【００２５】
掛け回しベルト７の端部を取り付ける他方の根鉢固定体２０ｂにおいては、張力伝達部材５の上部には、図５及び図６に示すように、取付金具１４とウインチ８とが取り付けられている。この場合、取付金具１４とウインチ８とは、図５に示すように、相互に約９０度の角度をなすように、ボルト２２で同軸的に張力伝達部材５の上部を介して肩パット４に取り付けられている。
この場合、取付金具１４とウインチ８とを同軸的に取り付けているボルト２２は、図５に示すように肩パット４の中央よりも右側に位置ずれした位置に取り付けられ、
ベルト７が取り付けられる側のウインチ８の端部８ａが肩パット４の略中央に位置するように設定されている。これは、ウインチ８を締め付けたときに、肩パット４を押さえつける力が、ベルト７が取り付けられる側のウインチ８の端部８ａに最も強く作用することとなり、従って仮にボルト２２が肩パット４の略中央に位置すると、上記ウインチ８の端部８ａは左側に位置ずれした位置に存在することとなるので、ベルト７が取り付けられる側とは反対側のウインチ８の端部が浮き上がり、その結果、肩パット４を押さえつける力が低減するおそれがあるからである。
【００２６】
引き上げ抵抗部材６は、引き上げ強度を増すために、図７乃至図９に示すように、
プレート６ａの上面側４箇所に略半円状に湾曲させたリブ３０を備えた形状に形成されたものであり、その上部には、該引き上げ抵抗部材６を吊り下げる吊下杆１０が取り付けられており、さらにその上部に取付部１１が形成されている。そして、この引き上げ抵抗部材６の取付部１１の孔１２と、図３に示す偏芯アタッチメント９の挿通孔９ｂとにボルト等が挿通されることで、後述のように引き上げ抵抗部材６が杭保持体２に取り付けられることとなる。さらに、引き上げ抵抗部材６の裏面側には、略コ字状に形成された補強部材１３が取り付けられている。
【００２７】
掛け回しベルト７の先端部２９側は、図１０に示すように取付金具１４の長孔２８に挿入され、それによって前記掛け回しベルト７の先端部２９側が取付金具１４に取り付けられている。この取付金具１４には、上述のように該取付金具１４とウインチ８とがボルト２２によって張力伝達部材５の上部を介して同軸的に肩パット４に取り付けられる際に、そのボルト２２の挿通部分となる挿通孔２３が穿設されている。そして、ボルト２２が挿通孔２３に挿通されて、取付金具１４とウインチ８とが肩パット４に取り付けられた状態において、取付金具１４は左右に可動しうるように構成されている。これによって、ウインチ８の締付力が、該ウインチ８側に取り付けられたベルト７の端部のみならず、取付金具１４側に取り付けられたベルト７の端部にも好適に作用することとなり、ベルト７の張力が好適に生じることとなるのである。
【００２８】
尚、ウインチ８は、図１１及び図１２に示すように、掛け回しベルト７の端部を取り付ける軸部２４を具備し、さらに該軸部２４の両側のラチェット２５と、該ラチェット２５に係止可能な係止体２６とを具備して構成されている。そして、前述のように、ウインチ８の端部８ａが肩パット４の略中央に位置して肩パット４を押さえ付けるのであるが、厳密にはウインチ８の端部８ａの下側が肩パット４を押さえ付けることとなる。
【００２９】
この掛け回しベルト７の素材としては、年月の経過に伴って分解する素材、たとえば生分解樹脂、その他、麻、綿、ジュート等の素材を用いることができる。生分解樹脂としては、ポリ乳酸、ポリブチレンサクシネート等の材質のものを用いることができる。また掛け回しベルト７の素材の形態としては、上記生分解樹脂からなる糸であって、たとえばテグス等に用いられるような糸を編成又は織成されたような形態のものを用いることができる。この場合、この掛け回しベルト７の全体を上記のような分解性の素材で構成してもよいが、本実施形態では、図１０に示すように、取付金具１４の長孔２８に挿入される部分となる先端部２９のみが分解性の素材で構成されており、それ以外の掛け回しベルト７の部分は、たとえば一般の合成樹脂製素材のように分解しにくい素材のものを用いてもよい。このように構成することで、たとえば掛け回しベルト７の先端部２９は比較的高価な生分解樹脂で構成し、先端部２９以外の部分を比較的安価な汎用性の合成樹脂で構成し、全体のコストを低減することが可能となる。
【００３０】
次に、上記のような構成からなる樹木の支持施工用具を用いて、樹木の支持施工を行う方法について説明する。先ず、図１３に示すように、予め形成された植穴１５内に樹木１６の根鉢１７を収納し、その底壁面１８に根鉢１７を載置する。
【００３１】
次に、図１４に示すように、根鉢１７の側面に沿って、杭１をハンマー等で植穴１５の底壁面１８に打ち込む。この場合、杭１は、同図に示すように、やや内向きに傾いた状態となるように打ち込む。尚、後述する杭保持体２を杭１に外嵌入させる部分においては、横圧抵抗部材３が根鉢に接触することとなるので、杭１は根鉢に直接接触していないが、上述のように杭１をやや内向きに傾いた状態となるように打ち込むことで、少なくとも下部の部分においては、杭１は根鉢に接触した状態となっている。
【００３２】
また、底壁面１８には予め予備客土１９を盛っておくことが望ましい。そして、杭１を底壁面１８に打ち込んだ後、その杭１が、所望の高さになるように、杭１の上端部を切断する。この場合の所望の高さとは、図１４のように切断後の杭１の上端部が根鉢１７の上面からわずかに低くなるような高さである。このように切断後の杭１の上端部が根鉢１７の上面からわずかに低くなる結果、後述するように、張力伝達部材５が、肩パット４から杭保持体２に向かって斜め下向きとなるように、肩パット４と杭保持体２とに架設されることとなる。
【００３３】
次に、上記支持施工用具を根鉢１７の周囲に設置する。その際、先ず図１５及び図１６に示すように、杭保持体２、横圧抵抗部材３、肩パット４、及び張力伝達部材５からなる根鉢固定体２０ａ、２０ｂに、吊下杆１０を介して引き上げ抵抗部材６を取り付けて、引き上げ抵抗部材６を一体化させておく。具体的には、根鉢固定体２０ａ、２０ｂを構成する部材のうちの杭保持体２に突設された偏芯アタッチメント９の挿通孔９ｂと、引き上げ抵抗部材６の取付部１１の孔１２とに、ボルト等が挿通されることで、引き上げ抵抗部材６が杭保持体２に取り付けられることとなる。この引き上げ抵抗部材６は、施工現場で杭保持体２に取り付けることも可能であるが、施工現場へ持参する前に、予め杭保持体２に取り付けて根鉢固定体２０ａ、２０ｂに一体化させておいてもよい。
【００３４】
そして、引き上げ抵抗部材６を一体化させた根鉢固定体２０ａ、２０ｂを、図１７及び図１８に示すように、根鉢１７の周囲の略等間隔の位置に４個設置する。この場合、２種類の根鉢固定体２０ａ、２０ｂのうち、掛け回しベルト７を掛け回す一方の根鉢固定体２０ａは、同図のように根鉢１７の周囲における対向する位置に設置され、掛け回しベルト７の端部を取り付ける取付金具１４とウインチ８とが取り付けられた他方の根鉢固定体２０ｂも、同図のように根鉢１７の周囲における対向する位置に設置される。
【００３５】
このように根鉢固定体２０ａ、２０ｂを根鉢１７の周囲に設置するに際しては、前記杭保持体２を杭１に外嵌入させつつ、根鉢２の肩部に肩パット４を設置し、さらに根鉢２の側面に横圧抵抗部材３を設置する。この場合、横圧抵抗部材３の外側には杭保持体２が固着されており、その杭保持体２に外向きに突設された偏芯アタッチメント９と肩パット４とに張力伝達部材５が架設された状態となっている。
【００３６】
これによって、肩パット４及び横圧抵抗部材３は根鉢の肩部及び側面に設置されるとともに、その横圧抵抗部材３が設置されることによって、杭保持体２も根鉢の側面に沿って設置されることとなる。また、杭保持体２の偏芯アタッチメント９に吊下杆１０を介して予め取り付けられていた引き上げ抵抗部材６は、底壁面１８に設置されることとなる。この引き上げ抵抗部材６も根鉢１７の周囲の略等間隔の位置に４個設置されることとなる。
【００３７】
次に、図１９乃至図２１に示すように、掛け回しベルト７を、根鉢１７の肩部に近い上面に掛け回す。この場合、４個の根鉢固定体のうち、相対面する２個の根鉢固定体２０ａには、その根鉢固定体２０ａの肩パット４に固着された張力伝達部材５の環状の掛止部５ａに単に掛け回しベルト７が挿入されて掛け回わされるだけであるが、他の相対面する２個の根鉢固定体２０ｂの肩パット４に固着された張力伝達部材５の上部には、上述のように取付金具１４とウインチ８との双方が同軸的に取り付けられているので、図２２及び図２３に示すように、掛け回しベルト７の両端部を取付金具１４とウインチ８とにそれぞれ取り付け、ウインチ８で締め付けることによって、掛け回しベルト７に張力が生じ、それによって根鉢２が固定されることとなる。
【００３８】
また、この場合において、掛け回しベルト７が掛け回される掛止部５ａを有する一方の根鉢固定体２０ａの張力伝達部材５と、掛け回しベルト７の両端のウインチ８及び取付金具１４が取り付けられた他方の根鉢固定体２０ｂの張力伝達部材５とは、ともに、肩パット４と、杭保持体２の外側に突設された偏芯アタッチメント９とに架設された状態となっているが、杭保持体２が取り付けられた杭１の上端部が、肩パット４が設置される根鉢１７の肩部よりわずかに下側となるように設定されているため、前記張力伝達部材５は、肩パット４から杭保持体２の偏芯アタッチメント９に向かって斜め下向きとなるように架設された状態となる。
【００３９】
そして、このように張力伝達部材５が肩パット４と偏芯アタッチメント９とに斜めに架設された状態で、肩パット４側に取り付けられた張力伝達部材５の根元部側の掛止部５ａに掛け回されている掛け回しベルト７をウインチ８で締め付けると、その締め付けによって掛け回しベルト７に生じる張力が、該掛け回しベルト７が掛け回わされている張力伝達部材５の掛止部５ａに伝達され、肩パット４と偏芯アタッチメント９とに架設された張力伝達部材５にも張力が作用する。
尚、他方の根鉢固定体２０ｂにおいては、張力伝達部材５の根元部に掛止部５ａは存在しないが、掛け回しベルト７の端部を取り付ける取付金具１４とウインチ８とが取り付けられているので、前記一方の根鉢固定体２０ａの張力伝達部材５の場合と同様に、掛け回しベルト７に生じる張力が、張力伝達部材５の根元部に伝達され、肩パット４と偏芯アタッチメント９とに架設された張力伝達部材５にも張力が作用することとなる。
【００４０】
一方、杭１には杭保持体２が外嵌入されて該杭保持体２に杭１が保持され、根鉢１７の側面に沿って植穴１５の底壁面１８に杭１が打ち込まれている。従って、上述のようにウインチ８の締め付けによって掛け回しベルト７に張力が生じた場合、その張力は前記張力伝達部材５を介して偏芯アタッチメント９に伝達されて、杭１の引抜きに対する抵抗力として上下方向に作用するとともに、杭１を根鉢に対して内側に押圧する横圧抵抗力として横方向にも作用する。これによって根鉢１７が固定されることとなる。この作用の詳細は、樹木に傾倒力が生じた場合の抵抗力として後述する。
【００４１】
さらに、上記のように掛け回しベルト７が根鉢の上面に掛け回わされてウインチ８で締め付けられた後に、植穴１７内に土を入れて植穴１７を閉塞することによって樹木の支持施工が完了する。
【００４２】
そして、このようにして施工された樹木に傾倒力が生じたとき、その傾倒力に対する抵抗力として掛け回しベルト７に張力が生じ、その張力が、前記掛け回しベルト７が掛け回わされた張力伝達部材５の掛止部５ａに伝達されるとともに、その張力の反作用として、掛け回しベルト７が掛け回わされている掛止部５ａの部分に、図２４の矢印Ａ方向への抵抗力が生じ、その抵抗力によって前記張力伝達部材５の掛止部５ａの近傍の肩パット４による根鉢１７に対する保持力が生じる。また、その矢印Ａ方向への抵抗力の反作用として、前記掛止部５ａを起点として、張力伝達部材５に図２４の矢印Ｂ方向に示すような抵抗力が斜め方向に生じ、偏芯アタッチメント９に伝達される。掛止部５ａの存在しない他方の根鉢固定体２０ｂの張力伝達部材５においても、その根元部には、掛け回しベルト７の端部を取り付ける取付金具１４とウインチ８とが取り付けられているので、図２４の矢印Ａ方向への抵抗力は同様に生じる。従って、
矢印Ｂ方向への斜め方向の力も同様に生じ、偏芯アタッチメント９に伝達されることとなる。
【００４３】
この場合において、樹木に作用する傾倒力によって、本来は杭１に対して上向きの引き抜き力が生じるが、前記掛け回しベルト７の張力の反作用としての抵抗力が張力伝達部材５を介して伝達される偏芯アタッチメント９は、杭１の軸中心部から外側に偏芯した位置に設けられているため、前記引き抜き力が杭１の軸中心部に沿って上向きに生じることはない。また、張力伝達部材５が、肩パット４から偏芯アタッチメント９に向かって斜めに架設されているので、その張力伝達部材５に沿って斜め方向に偏芯アタッチメント９に伝達された力は、その反作用である横圧抵抗力として、図２４の矢印Ｃ方向に示すように杭保持体２側に作用し、さらに杭保持体２から図２０の矢印Ｅ方向に示すように根鉢１７側に作用するとともに、打ち込まれた杭１の引抜きに対する抵抗力として下方向（図２０の矢印Ｄ方向）にも作用することとなる。このように、樹木の傾倒力によって掛け回しベルト７に作用する張力が、このような両方向に作用する力に変換されることになるのである。
【００４４】
さらに、この場合において、杭保持体２の内側には横圧抵抗部材３が設けられているため、前記杭保持体２から根鉢１７側に作用する横圧抵抗力は、杭保持体２が外嵌入された杭１の根鉢２側への押圧力として、横圧抵抗部材３によってさらに増幅され、その横圧抵抗部材３によって強大な横圧抵抗力が根鉢２に作用することとなるのである。さらに、杭１の引抜きに対する抵抗力が下方向に作用したのと同様に、引き上げ抵抗部材６にも引抜きに対する抵抗力（図２０の矢印Ｆ方向）が生じることとなる。
【００４５】
本実施形態では、上述のように根鉢の側面に沿って地中に打ち込まれる杭として木製の杭１が用いられ、そのような杭１は、本来は引き抜き抵抗力が弱く、真上に引き抜くと簡単に引く抜くことができるものであるが、本実施形態においては、樹木に傾倒力が生じた場合、その傾倒力が、張力伝達部材５を介して杭１の軸中心部から外側に偏芯した偏芯アタッチメント９に対して斜め下向きに作用するので、この傾倒力を張力伝達部材５が偏芯アタッチメント９を介して杭保持体２に伝達し、その杭保持体２に保持された杭１の抵抗を最大限に引き出すこととなる。そして、その抵抗力は、横圧抵抗部材３を介して根鉢に伝達され、肩パット４が設置されている根鉢の肩面、及び横圧抵抗部材３が設置されている根鉢の側面ともに、全体で保持されて、樹木が支持されることとなるのである。
【００４６】
このように、本実施形態では、杭保持体２、横圧抵抗部材３、肩パット４を具備するとともに、肩パット４から、杭保持体２の外側に突設された偏芯アタッチメント９に向かって張力伝達部材５を斜め下向きに架設し、その偏芯アタッチメント９が、杭１の軸中心部から外側に偏芯した位置に存在する偏芯構造によって、杭１、根鉢の肩部、根鉢の側面が一体的に保持された状態となり、強力な一体抵抗を生じさせることとなる。また、杭１の引き抜きに対しては、上述のように引き上げ抵抗部材６が作用して強力な抵抗力を発揮することとなる。この結果、初期の樹木の倒れ込みも非常に少なくなるのである。
【００４７】
尚、上記実施形態では、杭保持体２を円筒状に形成させたが、杭保持体２の形状は上記実施形態に限定されるものではなく、たとえば四角筒状のようなものであってもよい。また筒状以外の形状、たとえば平面半円状のようなものであってもよい。要は杭１を保持しうる形態のものであればよい。また、このような杭保持体２を設けずに、杭に直接偏芯アタッチメント９を取り付けてもよい。この場合、たとえば四角筒状の杭の外側に金具からなる偏芯アタッチメント９を打ち込んで取り付けることが可能である。従って、杭保持体２を設けることは本発明に必須の条件ではない。
【００４８】
さらに、上記実施形態では、杭保持体２が外嵌入される杭１の上部は根鉢１７に直接触されず、杭１をやや内向きに傾いた状態として杭１の下部の部分が根鉢に接触した状態とされていたが、これに限らず、杭１の略全体を根鉢１７に接触させてもよく、或いは根鉢１７から少し離間させていてもよい。すなわち、本発明において「根鉢１７の側面に沿って杭１を地面に打ち込む」とは、杭１を根鉢に接触させるか否かは問わずに杭１を根鉢１７の側面に沿わせることを意味する。
【００４９】
また、横圧抵抗部材３や肩パット４の形状も該実施形態に限定されるものではない。尚、横圧抵抗部材３を設けることで、上述のような好ましい効果が得られたが、この横圧抵抗部材３を設けることは本発明に必須の条件ではない。さらに、上記実施形態では、引き上げ抵抗部材６を設けたので、上記のような引き抜きに対する抵抗力を好適に生じさせるという好ましい効果が得られたが、このような引き上げ抵抗部材６を設けることは本発明に必須の条件ではない。さらに、杭保持体２、横圧抵抗部材３、肩パット４、張力伝達部材５、引き上げ抵抗部材６、掛け回しベルト７等を設置する手順も上記実施形態に限定されるものではなく、任意に変更可能である。
【００５０】
尚、本発明においては、上述のように自然環境破壊の観点から、木製の杭１を用いることを主眼とするが、木製のものに限らず、金属製の杭を用いる場合も本発明の範囲に含まれる。また、本発明は、一般の地盤に予め形成された植穴１５内に根鉢１７を収納して樹木を支持施工する、いわゆる地下支柱の施工に適用することを主眼とするが、このような一般の地盤の他、人工地盤における樹木の支持施工に本発明を適用することも可能である。このような人工地盤に用いる場合には、植穴１５の形成は必要なく、根鉢１７を埋設するよう人工土壌を積層することによって樹木の支持施工をすることができる。
【図面の簡単な説明】
【００５１】
【図１】一実施形態の支持施工用具の杭の正面図。
【図２】肩パット、杭保持体、横圧抵抗部材、及び張力伝達部材からなる一方の根鉢固定体の正面図。
【図３】同側面図。
【図４】同平面図。
【図５】他方の根鉢固定体の正面図。
【図６】他方の根鉢固定体の平面図。
【図７】引き上げ抵抗部材の平面図。
【図８】同正面図。
【図９】同側面図。
【図１０】掛け回しベルトの端部近辺の要部拡大平面図。
【図１１】ウインチの拡大平面図。
【図１２】ウインチの拡大側面図。
【図１３】根鉢を植穴内に収納する状態の概略側面図。
【図１４】杭を打ち込んだ状態の概略側面図。
【図１５】一方の根鉢固定体に引き上げ抵抗部材を取り付けた状態の概略平面図。
【図１６】他方の根鉢固定体に引き上げ抵抗部材を取り付けた状態の概略平面図。
【図１７】根鉢固定体及び引き上げ抵抗部材を根鉢に設置した状態の概略側面図。
【図１８】同概略平面図。
【図１９】掛け回しベルトを掛け回した状態の概略側面図。
【図２０】同概略平面図。
【図２１】同概略斜視図。
【図２２】同要部拡大側面図。
【図２３】同要部拡大平面図。
【図２４】抵抗力の作用を説明するための要部拡大斜視図。
【符号の説明】
【００５２】
１…杭                    ２…杭保持体
３…横圧抵抗部材          ４…肩パット
５…張力伝達部材          ６…引き上げ抵抗部材
７…掛け回しベルト        ８…ウインチ
９…偏芯アタッチメント    １４…取付金具
【図１】
2008109912.tif 000003
【図２】
2008109912.tif 000004
【図３】
2008109912.tif 000005
【図４】
2008109912.tif 000006
【図５】
2008109912.tif 000007
【図６】
2008109912.tif 000008
【図７】
2008109912.tif 000009
【図８】
2008109912.tif 000010
【図９】
2008109912.tif 000011
【図１０】
2008109912.tif 000012
【図１１】
2008109912.tif 000013
【図１２】
2008109912.tif 000014
【図１３】
2008109912.tif 000015
【図１４】
2008109912.tif 000016
【図１５】
2008109912.tif 000017
【図１６】
2008109912.tif 000018
【図１７】
2008109912.tif 000019
【図１８】
2008109912.tif 000020
【図１９】
2008109912.tif 000021
【図２０】
2008109912.tif 000022
【図２１】
2008109912.tif 000023
【図２２】
2008109912.tif 000024
【図２３】
2008109912.tif 000025
【図２４】
2008109912.tif 000026